(57)【要約】      （修正有）【課題】障害等がある人でも簡単に開閉操作できる換気装置を提供する。【解決手段】細長い装置本体１、作動板２、作動板を操作する操作機構３からなる。作動板は、装置本体の主壁１２の通気口１２ａを閉じる閉位置と通気口を開く開位置との間で長手方向にスライド可能である。操作機構は、装置本体に固定された保持部材３０、これに回動可能に支持された操作部材４０、作動板をスライドさせる連携部材５０とを備える。操作部材は、保持部材の窓３１aに臨み回動軸線Ｌを挟んで装置本体の長手方向両側に配置された閉じ操作部４１と開き操作部４２とを有する。操作部材が第１回動位置にあり作動板が閉じ位置にあるときに、開き操作部が押されると、操作部材が第２回動位置まで回動し、作動板が開位置までスライドする。操作部材が第２回動位置にあるときに、閉じ操作部４１が押されると、操作部材が第１回動位置まで回動し、作動板が閉位置までスライドする。【選択図】図３
2019132483.tif 000002
【特許請求の範囲】
【請求項１】
通気口が形成された主壁を有する細長い装置本体と、
上記装置本体の長手方向に延び、上記通気口を閉じる閉位置と上記通気口を開く開位置との間で移動可能に、上記装置本体に支持された作動板と、
上記作動板を開閉操作する操作機構と、
を備え、上記操作機構は、
ア．上記装置本体に固定され、室内に臨む壁に窓を形成してなる保持部材と、
イ．上記保持部材の上記壁に、上記装置本体の長手方向と直交する方向に延びて上記窓を横切る回動軸線を中心に、第１回動位置と第２回動位置との間で回動可能に支持された操作部材と、
ウ．上記装置本体内に収容され、上記操作部材の回動に伴い上記装置本体の長手方向にスライドするようにして上記操作部材に連携されるとともに、上記作動板に直接または間接的に連携された連携部材と、
を有し、
上記操作部材は、上記窓に臨み上記回動軸線を挟んで上記装置本体の長手方向両側に配置された閉じ操作部と開き操作部とを有し、上記第１回動位置において上記開き操作部が室内に向かって突出し上記閉じ操作部が後退し、上記第２回動位置において上記閉じ操作部が室内に向かって突出し上記開き操作部が後退し、
上記操作部材が上記第１回動位置にあるときに上記開き操作部が押されると、上記操作部材が上記第２回動位置まで回動し、上記連携部材を介して上記作動板が上記開位置まで移動し、
上記操作部材が上記第２回動位置にあるときに上記閉じ操作部が押されると、上記操作部材が上記第１回動位置まで回動し、上記連携部材を介して上記作動板が上記閉位置まで移動することを特徴とする換気装置。
【請求項２】
上記保持部材と上記操作部材の一方が他方に向かって突出する嵌合凸部を有し、当該他方が当該一方に向かって開放された嵌合凹部を有し、これら嵌合凸部と嵌合凹部の嵌合により、上記操作部材が上記保持部材に回動可能に支持されていることを特徴とする請求項１に記載の換気装置。
【請求項３】
上記連携部材が上記装置本体の長手方向および上記回動軸線と平行な受面を有し、
上記操作部材が室外に向かって突出する突出部を有し、この突出部の先端に、上記回動軸線を中心とする円弧面をなす当接面が形成され、この当接面が上記連携部材の上記受面に当接することを特徴とする請求項２に記載の換気装置。
【請求項４】
上記操作部材の室外側の先端部には、上記回動軸線と平行をなす係合軸部が形成されており、上記連携部材には、室内側に向かって開放された係合溝が形成されており、上記係合軸部が上記係合溝に係合されることにより、上記操作部材と上記連携部材が連携されていることを特徴とする請求項２または３に記載の換気装置。
【請求項５】
上記保持部材の上記室内側の壁の少なくとも一部を構成する壁部分が、上記装置本体の室内側の面から室外側に後退しており、当該壁部分に上記操作部材が回動可能に支持されていることを特徴とする請求項１〜４のいずれかに記載の換気装置。
【請求項６】
上記保持部材の上記室内側の壁に凹部が形成されており、この凹部の底壁が、上記操作部材を回動可能に支持する壁部分として提供され、上記操作部材が上記凹部に収容されていることを特徴とする請求項５に記載の換気装置。
【請求項７】
上記主壁には、上記装置本体の長手方向に等間隔をおいて上記通気口が複数形成されており、
上記作動板は、上記主壁に接した状態で上記装置本体の長手方向にスライド可能に支持されるとともに、上記装置本体の長手方向に上記通気口と同じ間隔で形成された複数の制御口を有し、
上記作動板は上記連携部材と一緒にスライドし、上記作動板が閉位置にあるとき、上記制御口が上記通気口と一致せず、上記作動板が開位置にあるとき、上記制御口が上記通気口と一致することを特徴とする請求項１〜６のいずれかに記載の換気装置。
【請求項８】
上記装置本体にはカム部材が収容固定されており、
上記作動板が上記装置本体の長手方向にスライド可能かつ回動可能に支持されるとともに、上記カム部材と係合するカムフォロア部を有しており、
上記作動板は上記連携部材に連結されて一緒にスライドし、このスライドの過程で、上記カムフォロア部と上記カム部材のカム作用により回動し、上記作動板が閉位置にあるとき、上記作動板が上記主壁に接近して上記通気口を閉じ、上記作動板が開位置にあるとき、上記作動板が上記主壁から離間して上記通気口を開くことを特徴とする請求項１〜６のいずれかに記載の換気装置。
【請求項９】
上記装置本体にはカム部材が上記装置本体の長手方向にスライド可能に収容されており、
上記作動板が上記装置本体に回動可能に支持されるとともに、上記カム部材と係合するカムフォロア部を有しており、
上記カム部材は上記連携部材に連結されて一緒にスライドし、このカム部材のスライドの過程で、上記カムフォロア部と上記カム部材のカム作用により上記作動板が回動し、上記作動板が閉位置にあるとき、上記作動板が上記主壁に接近して上記通気口を閉じ、上記作動板が開位置にあるとき、上記作動板が上記主壁から離れて上記通気口を開くことを特徴とする請求項１〜６のいずれかに記載の換気装置。
【発明の詳細な説明】
【技術分野】
【０００１】
本発明は、建物の窓サッシ等に設けられて、室内と室外の空気を換気する換気装置に関する。
【背景技術】
【０００２】
特許文献１の図６に開示された換気装置は、垂直の主壁を有する細長い装置本体と、装置本体の主壁に接した状態で装置本体の長手方向にスライド可能な作動板と、この作動板を操作する操作機構とを備えている。上記主壁には装置本体の長手方向に等間隔をおいて複数の通気口が形成されており、作動板には通気口と同じ間隔で複数の制御口が形成されている。操作機構は、装置本体に固定されるとともに窓を有する保持部材と、この保持部材にスライド可能に支持されて室内側に突出する操作部材とを備えている。
【０００３】
上記作動板は操作部材に連結されており、操作部材のスライド操作に伴って閉位置と開位置との間でスライドする。作動板が閉位置にあるとき、その制御口が主壁の通気口と一致せず、通気口は閉じられている。作動板が開位置にあるとき、その制御口が通気口と一致し、通気口が開かれる。
【０００４】
特許文献１の図１には、作動板が装置本体にスライドおよび回動可能に支持された換気装置も開示されている。この換気装置では、操作部材のスライド操作に伴って作動板がスライドするとともに、装置本体に固定されたカム部材とのカム作用により閉位置と開位置との間で回動するようになっている。閉位置では作動板が主壁に接近して通気口を閉じ、開位置では作動板が主壁から離間して通気口を開く。
【０００５】
上述した特許文献１の換気装置では、操作部材のスライド操作により作動板を開閉するため、障害等がある人にとっては操作しづらい。
【０００６】
そこで、特許文献２の換気装置が開発されている。この換気装置の操作機構は、保持部材と、作動板に連結された連携部材と、押しボタン式の２つの操作部材とを備えている。連携部材は一対の傾斜した第１、第２のカム面を有して山形をなしている。一方の操作部材は閉じ操作用であり、第１カム面に係合する傾斜面を有している。他方の操作部材は開き操作用であり、第２カム面に係合する傾斜面を有している。
【０００７】
閉じ操作用の操作部材を押すと、その傾斜面と第１カム面とのカム作用により連携部材が装置本体の長手方向にスライドし、作動板が閉位置へと移動する。開き操作用の操作部材を押すと、その傾斜面と第２カム面とのカム作用により連携部材が反対方向にスライドし、作動板が開位置へと移動する。このように、２つの操作部材を押し操作するだけで作動板を開閉できるので、障害がある人でも開閉操作が可能である。
【先行技術文献】
【特許文献】
【０００８】
【特許文献１】特開平９−２４３１２１号公報
【特許文献２】特開２０１４−１４９１３６号公報
【発明の概要】
【発明が解決しようとする課題】
【０００９】
特許文献２の操作機構では、２つの操作部材を必要とするため、部品点数が多い。また、操作部材を押すときに、操作部材の傾斜面と連携部材のカム面との間に摩擦が生じるため、障害がある人にとって負担を感じる場合がある。
【課題を解決するための手段】
【００１０】
本発明は上記課題を解決するためになされたもので、換気装置において、通気口が形成された主壁を有する細長い装置本体と、上記装置本体の長手方向に延び、上記通気口を閉じる閉位置と上記通気口を開く開位置との間で移動可能に、上記装置本体に支持された作動板と、上記作動板を開閉操作する操作機構と、を備え、上記操作機構は、
ア．上記装置本体に固定され、室内に臨む壁に窓を形成してなる保持部材と、
イ．上記保持部材の上記壁に、上記装置本体の長手方向と直交する方向に延びて上記窓を横切る回動軸線を中心に、第１回動位置と第２回動位置との間で回動可能に支持された操作部材と、
ウ．上記装置本体内に収容され、上記操作部材の回動に伴い上記装置本体の長手方向にスライドするようにして上記操作部材に連携されるとともに、上記作動板に直接または間接的に連携された連携部材と、
を有し、
上記操作部材は、上記窓に臨み上記回動軸線を挟んで上記装置本体の長手方向両側に配置された閉じ操作部と開き操作部とを有し、上記第１回動位置において上記開き操作部が室内に向かって突出し上記閉じ操作部が後退し、上記第２回動位置において上記閉じ操作部が室内に向かって突出し上記開き操作部が後退し、上記操作部材が上記第１回動位置にあるときに上記開き操作部が押されると、上記操作部材が上記第２回動位置まで回動し、上記連携部材を介して上記作動板が上記開位置まで移動し、上記操作部材が上記第２回動位置にあるときに上記閉じ操作部が押されると、上記操作部材が上記第１回動位置まで回動し、上記連携部材を介して上記作動板が上記閉位置まで移動することを特徴とする。
【００１１】
上記構成によれば、室内に突出している閉じ操作部と開き操作部を指で押すだけで、操作部材を回動し、作動板を開閉できるので、障害を有する人でも簡単に開閉操作を行うことができる。しかも、操作部材の回動を連携部材の回動に変換する際に、大きな摩擦が生じず、より一層開閉操作を楽に行うことができる。また、操作部材は１つで済むので部品点数を少なくすることができる。
【００１２】
好ましくは、上記保持部材と上記操作部材の一方が他方に向かって突出する嵌合凸部を有し、当該他方が当該一方に向かって開放された嵌合凹部を有し、これら嵌合凸部と嵌合凹部の嵌合により、上記操作部材が上記保持部材に回動可能に支持されている。
上記構成によれば、操作部材と保持部材を近づけて、嵌合凸部と嵌合凹部を嵌め合わせることにより、操作部材と保持部材を簡単に組み付けることができる。
【００１３】
好ましくは、上記連携部材が上記装置本体の長手方向および上記回動軸線と平行な受面を有し、上記操作部材が室外に向かって突出する突出部を有し、この突出部の先端に、上記回動軸線を中心とする円弧面をなす当接面が形成され、この当接面が上記連携部材の上記受面に当接する。
上記構成によれば、操作部材の回動操作の際、突出部の当接面が連携部材の受面に当接することにより、嵌合凹部と嵌合凸部の嵌合による操作部材の不完全な保持状態を補うことができ、操作部材を安定して回動させることができる。また、当接面は操作部材の回動軸線を中心とする円弧面により構成されているので、操作部材が回動する際に受面と転がり接触するだけで、摩擦が生じないので、良好な操作性を担保できる。
【００１４】
好ましくは、上記操作部材の室外側の先端部には、上記回動軸線と平行をなす係合軸部が形成されており、上記連携部材には、室内側に向かって開放された係合溝が形成されており、上記係合軸部が上記係合溝に係合されることにより、上記操作部材と上記連携部材が連携されている。
上記構成によれば、連携部材の係合溝に操作部材４０の係合軸を挿入するだけで、連携部材と操作部材が連携されるので、組立作業を簡略化できる。
【００１５】
好ましくは、上記保持部材の上記室内側の壁の少なくとも一部を構成する壁部分が、上記装置本体の室内側の面から室外側に後退しており、当該壁部分に上記操作部材が回動可能に支持されている。
上記構成によれば、操作部材の閉じ操作部と開き操作部が、突出位置において装置本体の室内側の面から室内に突出しないかその突出量を小さくすることができる。そのため、室内における他の部材との干渉を回避できる。例えば引戸式のサッシ戸に組み込んだ場合でも、サッシ戸の開閉の支障にならない。
【００１６】
より好ましくは、上記保持部材の上記室内側の壁に凹部が形成されており、この凹部の底壁が、上記操作部材を回動可能に支持する壁部分として提供され、上記操作部材が上記凹部に収容されている。
【００１７】
本発明の具体的態様では、上記主壁には、上記装置本体の長手方向に等間隔をおいて上記通気口が複数形成されており、上記作動板は、上記主壁に接した状態で上記装置本体の長手方向にスライド可能に支持されるとともに、上記装置本体の長手方向に上記通気口と同じ間隔で形成された複数の制御口を有し、上記作動板は上記連携部材と一緒にスライドし、上記作動板が閉位置にあるとき、上記制御口が上記通気口と一致せず、上記作動板が開位置にあるとき、上記制御口が上記通気口と一致する。
【００１８】
他の具体的態様では、上記装置本体にはカム部材が収容固定されており、上記作動板が上記装置本体の長手方向にスライド可能かつ回動可能に支持されるとともに、上記カム部材と係合するカムフォロア部を有しており、上記作動板は上記連携部材に連結されて一緒にスライドし、このスライドの過程で、上記カムフォロア部と上記カム部材のカム作用により回動し、上記作動板が閉位置にあるとき、上記作動板が上記主壁に接近して上記通気口を閉じ、上記作動板が開位置にあるとき、上記作動板が上記主壁から離間して上記通気口を開く。
【００１９】
さらに他の具体的態様では、上記装置本体にはカム部材が上記装置本体の長手方向にスライド可能に収容されており、上記作動板が上記装置本体に回動可能に支持されるとともに、上記カム部材と係合するカムフォロア部を有しており、上記カム部材は上記連携部材に連結されて一緒にスライドし、このカム部材のスライドの過程で、上記カムフォロア部と上記カム部材のカム作用により上記作動板が回動し、上記作動板が閉位置にあるとき、上記作動板が上記主壁に接近して上記通気口を閉じ、上記作動板が開位置にあるとき、上記作動板が上記主壁から離れて上記通気口を開く。
【発明の効果】
【００２０】
本発明によれば、操作機構の部品点数が少なく、障害等がある人でも楽に作動板を開閉操作することができる。
【図面の簡単な説明】
【００２１】
【図１】本発明の第１実施形態に係る換気装置の正面図である。
【図２】同換気装置の操作機構を拡大して示す斜視図であり、（Ａ）は操作部材が第１回動位置にあり作動板が閉位置にある状態、（Ｂ）は操作部材が第２回動位置にあり作動板が開位置にある状態を示す。
【図３】（Ａ）は図１のＡ−Ａ矢視断面図、（Ｂ）はＢ−Ｂ矢視断面図、（Ｃ）はＣ−Ｃ矢視断面図であり、それぞれ操作部材が第１回動位置にあり作動板が閉位置にある状態を示す。
【図４】（Ａ）は図１のＡ−Ａ矢視断面図、（Ｂ）はＢ−Ｂ矢視断面図、（Ｃ）はＣ−Ｃ矢視断面図であり、それぞれ操作部材が第２回動位置にあり作動板が開位置にある状態を示す。
【図５】同換気装置の操作機構の保持部材を室外側から見た斜視図である。
【図６】同操作機構の操作部材を示し、（Ａ）は室内側から見た斜視図、（Ｂ）は平面図、（Ｃ）は室外側から見た背面図である。
【図７】同操作機構の連携部材を示し、（Ａ）は室内側から見た斜視図、（Ｂ）は室内側から見た正面図である。
【図８】本発明の第２実施形態に係る換気装置の横断面図である。
【図９】本発明の第３実施形態に係る換気装置の横断面図である。
【図１０】本初美江の第４実施形態に係る換気装置の要部斜視図である。
【発明を実施するための形態】
【００２２】
以下、本発明の第１実施形態を図１〜図７を参照しながら説明する。本実施形態の換気装置は、サッシ窓に組み込まれるものであり、図１に示すように、左右に水平に延びる細長い装置本体１を備えている。装置本体１は複数の押出型材を組み付けることにより構成されている。
【００２３】
図３に示すように、装置本体１の内部空間が通気路１１として提供されている。装置本体１の垂直をなす室外側の壁１２（主壁）には、長手方向に等間隔をおいて通気口１２ａが複数形成されている。
【００２４】
装置本体１の室内側の開口はフィルタ１５で覆われている。このフィルタ１５は、装置本体１に着脱可能に取り付けられた細長いフィルタ押さえ１６により支持されている。フィルタ押さえ１６には長手方向に間隔をおいて通気口１６ａが形成されている。
【００２５】
上記通気路１１は、室外側の壁１２の通気口１２ａを介して室外空間に連なり、フィルタ１５とフィルタ押さえ１６の通気口１６ａを介して室内空間と連なっている。
図１に示すように、装置本体１の一端（本実施形態では左側の端）にはキャップ１７が取り付けられており、通気路１１の左端開口が塞がれている。
【００２６】
図３、図４に示すように、装置本体１の通気路１１には作動板２が収容されている。作動板２は、細長い板形状をなして装置本体１の長手方向に延び、室外側の壁１２に接するようにして装置本体１に支持されている。
作動板２には、通気口１２ａと同形状をなす複数の制御口２１が、装置本体１の長手方向に上記通気口１２ａと等しい間隔で形成されている。
【００２７】
作動板２は、図３に示す閉位置と図４に示す開位置との間で、装置本体１の長手方向にスライド可能である。
図３に示すように、作動板２が閉位置にあるとき、制御口２１が通気口１２ａと一致せず、通気口１２ａが作動板２により閉じられており、通気路１１を介しての換気が禁じられる。
図４に示すように、作動板２が開位置にあるとき、制御口２１が通気口１２ａと一致し、通気口１２ａが開かれており、通気路１１を介しての換気が行なわれる。
【００２８】
図１〜図４に示すように、上記作動板２を開閉操作する操作機構３は、例えば装置本体１の右端部に配置されており、樹脂成形品からなる３つの構成要素、すなわち保持部材３０と操作部材４０と連携部材５０とを備えている。
【００２９】
保持部材３０は、装置本体１の右端に固定されており、通気路１１の右端開口を塞いでいる。
図１、図２、図５に示すように、保持部材３０の室内側の垂直をなす壁３１には装置本体１の長手方向に細長い長方形の窓３１ａが形成されている。図３（Ｂ）、図５に示すように、窓３１ａの上下の縁部の中央には、室外に向かって突出する嵌合凸部３２が形成されている。この嵌合凸部３２の先端面は円弧面（後述する回動軸線Ｌを中心とする円弧面）をなしている。
【００３０】
図３（Ａ）、図５に示すように、室内側の壁３１には、上記一対の嵌合凸部３２にそれぞれ隣接する一対の規制凸部３３が形成されている。上側の規制凸部３３の下面および下側の規制凸部３３の上面は、後述の作用をなす規制面３３ａとして提供される。
【００３１】
図２に示すように、上記保持部材３０にはシーソー式の操作部材４０が回動可能に支持されている。
図６に示すように、操作部材４０は室内側構成部４０ａと室外側構成部４０ｂとを備えている。室内側構成部４０ａは室内側に向かって突出する中空のふた山形状をなし、右側の閉じ操作部４１と左側の開き操作部４２とを有している。これら閉じ操作部４１，開き操作部４２の操作面４１ａ，４２ａはＶ字を描くように交差している。
閉じ操作部４１の室外側の縁には、コ字形をなす目隠し用の鍔４３が形成され、開き操作部４２の室外側の縁にも、コ字形をなす目隠し用の鍔４４が形成されている。これら鍔４３、４４は、操作面４１ａ、４２ａと逆向きのＶ字をなして交差している。
【００３２】
操作部材４０は、上記鍔４３，４４の交差部に形成された上下一対の嵌合凹部４５を有している。嵌合凹部４５は室内側に開口しており、その内周は円弧面（後述する回動軸線Ｌを中心とする円弧面）をなしている。図３（Ｂ）に示すように、これら一対の嵌合凹部４５に上記保持部材３０の一対の嵌合凸部３２をそれぞれ嵌合させることにより、操作部材４０は保持部材３０に回動可能に支持されている。その回動軸線Ｌ（図３（Ｂ）、図６参照）は窓３１ａの長手方向中央を横切り、装置本体１の長手方向と直交して垂直に延びている。上記閉じ操作部４１と開き操作部４２は、この回動軸線Ｌを挟んで左右に配置され、窓３１ａに臨んでいる。
操作部材４０は、保持部材３０の上下の規制面３３ａにより、上下方向の変位を禁じられている。
【００３３】
操作部材４０の室外側構成部４０ｂは、その上下方向中央部において、室外に向かって突出する水平な板形状の突出部４６を有しており、その先端面が当接面４６ａとして提供される。この当接面４６ａは、上記回動軸線Ｌを中心とする円弧面をなしている。
上記室外側構成部４０ｂの先端部は、突出部４６の上下に断面円形の一対の係合軸４７を有している。係合軸４７は垂直に（すなわち回動軸線Ｌと平行に）延びている。
【００３４】
図７に示すように、連携部材５０は正面形状が略長方形をなしており、保持部材３０の壁３１に対向して配置されている。
連携部材５０は、その上縁に沿って形成され左右に分離された一対のリブ５１，５１と、その下縁に沿って形成され左右に分離された一対のリブ５１，５１を有している。各対のリブ４１，４１間には、室内側に開口する係合溝５２が形成されている。
【００３５】
図３（Ａ）に示すように、連携部材５０の上下一対の係合溝５２に、操作部材４０の上下一対の係合軸４７が係合されることにより、連結部材４０と操作部材４０が、相対回動可能にして連結されている。操作部材４０が回動軸線Ｌを中心に回動すると、係合軸４７が左右方向（装置本体１の長手方向）に移動し、これにより、係合軸４７と係合溝５２の係合を介して、連携部材５０が左右方向にスライドするようになっている。
【００３６】
連携部材５０の上下方向中央部には、垂直をなして（すなわち、装置本体１の長手方向および上記回動軸線と平行をなして）左右方向に延びる平坦な受面５３が形成されている。図３（Ｃ）に示すように、この受面５３に操作部材４０の当接面４６ａが当接している。
【００３７】
連携部材５０はさらに、室外側に突出する左右一対の連結部５５を有している。図３に示すように、これら連結部５５が作動板２の右端部の２つの制御口２１に挿入され、その側縁に係止されることにより、連携部材５０と作動板２が直接連結されている。
【００３８】
上記構成をなす換気装置を説明する。
図２（Ｂ）、図４に示すように操作部材４０が第２回動位置にあり、作動板２が開位置にあるときには、操作部材４０の閉じ操作部４１が室内に向かって突出している。この閉じ操作部４１の操作面４１ａを押すと、図２（Ａ）、図３に示すように、操作部材４０が回動して第１回動位置に至る。この過程で、連携部材５０が図中左方向にスライドし、この連携部材５０と一緒に作動板２もスライドし、閉位置に至る。この閉じ状態では、閉じ操作部４１が突出位置から後退し、その操作面４１ａが保持部材３０の室内側の壁３１と略面一をなし、その代わりに開き操作部４２が壁３１から室内に向かって突出している。
【００３９】
図２（Ａ）、図３に示すように操作部材４０が第１回動位置にあり、作動板２が閉位置にあるときには、操作部材４０の開き操作部４２が室内に向かって突出している。この開き操作部４２の操作面４２ａを押すと、操作部材４０が逆方向に回動して図２（Ｂ）、図４に示す第２回動位置に至る。この過程で、連携部材５０が逆方向（図中右方向）にスライドし、この連携部材５０と一緒に作動板２もスライドし、開位置に至る。この開き状態では、開き操作部４２が突出位置から後退し、その操作面４２ａが保持部材３０の室内側の壁３１と略面一をなし、その代わりに閉じ操作部４１が壁３１から室内に向かって突出している。
【００４０】
なお、保持部材３０に形成された一対のストッパ部（図示しない）が連携部材５０のスライド領域を規制することにより、操作部材４０の回動範囲は上記第１回動位置と第２回動位置との間で規制されている。
【００４１】
上述したように、室内に突出している操作部４１，４２の操作面４１ａ，４２ａを指で押すだけで、操作部材４０を回動操作できるので、障害を有する人でも簡単に作動板２の開閉操作をすることができる。
操作部材４０と連携部材５０との間では殆ど摩擦が生じないから、小さな操作力で開閉操作を行うことができる。
【００４２】
操作機構３は、操作部材４０の嵌合凹部４５を、保持部材３０の嵌合凸部３２に嵌め、連携部材５０の係合溝５２に操作部材４０の係合軸４７を挿入するだけで、簡単に組み立てることができる。
【００４３】
上記操作部材４０の回動操作の際、操作部材４０の当接面４６ａが連携部材５０の受面５３に当たることにより、上記嵌合凹部４５と嵌合凸部３２の不完全な係合を補うことができ、操作部材４０を安定して回動させることができる。当接面４６ａは操作部材４０の回動軸線Ｌを中心とする円弧面により構成されているので、操作部材４０が回動する際に受面５３と転がり接触するだけで摩擦が生じず、良好な操作性を担保できる。
【００４４】
次に、本発明の他の実施形態について図を参照しながら説明する。これら図において先行する実施形態に対応する構成部には同番号を付してその詳細な説明を省略する。
【００４５】
図８に示す本発明の第２実施形態に係る換気装置では、装置本体１Ａは、室内側の壁１２Ａ’と、室外側の壁１２Ａ”と、その中間の壁１２Ａ（主壁）とを有しており、それぞれに装置本体１Ａの長手方向に間隔をおいて複数の通気口１２ａ’、１２ａ”、１２ａが形成されている。中間の壁１２Ａには、通気口１２ａの上方において軸受部１８が形成されている。図８において、室内側の通気口１２ａ’を覆うフィルタアッセンブリ１５Ａは概略的に示されている。
【００４６】
作動板２Ａはその上端部に断面円形の軸部２８を有しており、この軸部２８が上記軸受部１８に挿入されることにより、作動板２Ａは装置本体１Ａの長手方向にスライド可能かつ回動可能に支持されている。作動板２Ａが壁１２Ａに接近した閉位置にある時、通気口１２ａが閉じられ、作動板２が壁１２Ａから離間した開位置にある時、通気口１２ａが開かれる。
【００４７】
装置本体１Ａにはカム部材６０が収容固定されている。カム部材６０の上面には壁１２Ａに対して傾斜したカム溝６１が形成されており、このカム溝６１には、作動板２Ａの下縁に形成された突起からなるカムフォロア部２９が係合されている。
【００４８】
本実施形態の操作機構３は、第１実施形態と同様に保持部材３０と操作部材４０と連携部材５０を備えている。ただし、連携部材５０は、第１実施形態の一対の連結部５５の代わりに室外に向かって大きく突出する連結部５６を有している。この連結部５６は、作動板２の右端部に形成された係合穴（図示しない）に挿入されており、これにより、作動板２Ａの回動を許容した状態で作動板２Ａと連携部材５０が連結されている。
【００４９】
第１実施形態と同様に操作部材４０が回動操作されると、連携部材５０が装置本体１Ａの長手方向にスライドし、連携部材５０と一緒に上記作動板２Ａがスライドする。作動板２Ａは、このスライドの過程で、カム部材６０のカム作用により回動し、上記閉位置と開位置との間で回動する。
【００５０】
図９に示す第３実施形態では、作動板２０は装置本体１Ａの長手方向にスライドせず、回動するだけである。カム部材６０は装置本体１Ａに固定されておらず、スライダ７０に固定されている。このスライダ７０は、装置本体１Ａにその長手方向にスライド可能に支持されている。
操作機構３の連携部材５０は、室外側に大きく突出する連結部５７を有し、この連結部５７の先端部は、中間連結部材７１を介して上記スライダ７０に連結されている。
【００５１】
第３実施形態では、操作部材４０の回動により連携部材５０が装置本体１Ａの長手方向にスライドすると、スライダ７０およびカム部材６０が一緒にスライドし、このカム部材６０のスライドの過程で、カム部材６０のカム作用により作動板２Ａが閉位置と開位置との間で回動する。
【００５２】
図１０に示す第４実施形態では、保持部材３０の室内側の壁３１に左右方向（装置本体１の長手方向）に延びる凹部３１ｘが形成されており、この凹部３１ｘの底壁３１ｙ（装置本体１の室内側の面１ａから室外側に後退した垂直をなす壁部分）に、左右方向に延びる窓３１ａが形成されている。この底壁３１ｙに操作部材４０が回動可能に支持されている。他の構成は第１実施形態と同様である。
上記構成では、操作部材４０の閉じ操作部４１、開き操作部４２が、突出位置において上記凹部３１ｘ内に配置され、装置本体１ａの室内側の面１ａから室内に突出しないかその突出量を小さくすることができる。そのため、引戸式のサッシ戸に組み込んでも、サッシ戸の開閉の支障にならず、また室内における他の部材と干渉することもない。
【００５３】
上記第４実施形態において、保持部材３０の室内側の壁３１に凹部３１ｘを設けずに壁３１全体を装置本体１の室内側の面１ａより室外側に後退させ、この壁３１に操作部材４０を回動可能に支持してもよい。
【００５４】
本発明は、上記実施形態に限定されるものではなく、その趣旨に反しない限りにおいて種々の改変をなすことができる。
例えば、保持部材に嵌合凹部を設け、操作部材に嵌合凸部を設け、これら嵌合凹部と嵌合凸部により操作部材を回動可能に支持してもよい。
【産業上の利用可能性】
【００５５】
本発明は、室内を換気するための換気装置に適用可能である。
【符号の説明】
【００５６】
１、１Ａ  装置本体
１ａ  装置本体の室内側の面
２、２Ａ  作動板
３  操作機構
１１  通気路
１２  室外側の壁（主壁）
１２Ａ  中間の壁（主壁）
１２ａ  通気口
２１  制御口
２９  カムフォロア部
３０  保持部材
３１  室内側の壁
３１ｘ  凹部
３１ｙ  底壁（装置本体の室内側の面から室外側に後退した壁部分）
３１ａ  窓
３２  嵌合凸部
４０  操作部材
４１  閉じ操作部
４２  開き操作部
４５  嵌合凹部
４６  突出部
４６ａ  当接面
４７  係合軸
５０  連携部材
５２  係合溝
５３  受面
６０  カム部材
【図１】
2019132483.tif 000003
【図２】
2019132483.tif 000004
【図３】
2019132483.tif 000005
【図４】
2019132483.tif 000006
【図５】
2019132483.tif 000007
【図６】
2019132483.tif 000008
【図７】
2019132483.tif 000009
【図８】
2019132483.tif 000010
【図９】
2019132483.tif 000011
【図１０】
2019132483.tif 000012